(57)【特許請求の範囲】
【請求項１】
炭酸含有シャンプーを調製するための、シャンプー、クエン酸もしくはその塩と金属炭酸塩のセットあるいは炭酸水、調製した炭酸含有シャンプーを保存するための容器であって、ボトル、そして該ボトルに装着するための、弁を備えたシャンプー取出口を有するキャップから構成され、該キャップの弁を閉じた状態で、該キャップが下を向くようにボトルを支持することによって前記炭酸含有シャンプーを保存する容器が、ケースに収容されてなる炭酸含有シャンプー調製用キット。
【請求項２】
さらに、キャップを装着したボトルを、キャップが下を向くように支持するための支持台が収容されている請求項１に記載の炭酸含有シャンプー調製用キット。
【請求項３】
ボトルと、該ボトルに装着するための、弁を備えたシャンプー取出口を有するキャップとを含む容器に、炭酸含有シャンプーを収容し、該キャップの弁を閉じた状態で、該キャップが下を向くようにボトルを支持する炭酸含有シャンプーの保存方法。
【発明の詳細な説明】
【技術分野】
【０００１】  本発明は、シャンプーに炭酸を溶解させた炭酸含有シャンプーを調製するためのキットに関する。また、本発明は、炭酸含有シャンプーを保存するための容器にも関する。
【背景技術】
【０００２】  シャンプーに炭酸を溶解させた炭酸含有シャンプーは、泡立ちが良く、洗浄効果が高いことが知られている。また、炭酸含有シャンプーを用いて洗髪すると、頭皮の血行が良くなり、代謝が促進されることが知られている。【０００３】  特許文献１には、炭酸水素ナトリウム及び炭酸ナトリウムを含む主成分たるアルカリ性無機塩と、ラクトフェリンと、アミノ酸と、キサンタンガム又はプルランを含む増粘剤とを含有し、界面活性剤を含有しないことを特徴とする粉末状シャンプー組成物が記載されている。この文献によると、炭酸水素ナトリウム及び炭酸ナトリウムは洗浄作用成分として作用すると記載されている。粉末状シャンプー組成物は洗髪に使用する際に、温水に溶解して液状シャンプーとされる。【０００４】  特許文献２には、第一剤として重曹を１−１０％含有したシャンプーベースを調整し、第二剤として有機酸を含有するｐＨ１−３の酸性の溶液を調製して、第一剤に第二剤を滴下混合し二酸化炭素を発生させ毛髪ならびに頭皮をシャンプーするシャンプーシステムが記載されている。この文献によると、二酸化炭素は、泡立ちを大幅に改善させると同時に、頭皮の血行を改善させることができるとされている。【０００５】  シャンプーを収容するための容器として、ポンプ付き容器は知られている。特許文献３には、キャップ一体式のポンプをボトルに装着し、キャップ一体式のポンプをボトルに装着し、ポンプを作動させることによってボトル内の内溶液を注出できるようにしたポンプ付き容器が記載されている。
【先行技術文献】
【特許文献】
【０００６】
【特許文献１】特開２０１２−６９１６号公報
【特許文献２】特開２０１４−１９６９６号公報
【特許文献３】特開２０１２−１４０１７６号公報
【発明の概要】
【発明が解決しようとする課題】
【０００７】  特許文献１に記載の粉末状シャンプー組成物及び特許文献２に記載のシャンプーシステムは、洗髪時に炭酸含有シャンプーを調製することが必要となるため、煩雑である。そこで、一度に多量の炭酸含有シャンプーを調製し、その調製した炭酸含有シャンプーを保存して長期間にわたって少量ずつ使用することができれば好ましい。しかしながら、本発明の発明者の検討によると、炭酸含有シャンプーを従来のポンプ付き容器に収容して保存すると、保存中に炭酸含有シャンプーから炭酸が消失してしまうことがある。従って、本発明の目的は、一度に多量の炭酸含有シャンプーを調製でき、その調製した炭酸含有シャンプーを長期間にわたって少量ずつ使用することができる炭酸含有シャンプー調製用キットを提供することにある。
【課題を解決するための手段】
【０００８】  本発明の発明者は、シャンプーと、クエン酸もしくはその塩と金属炭酸塩あるいは炭酸水を用いて調製した炭酸含有シャンプーをボトルに入れ、そのボトルに弁を備えたシャンプー取出口を有するキャップを装着し、そのキャップが下を向くようにボトルを支持することによって、炭酸含有シャンプーを炭酸を消失させずに長期間にわたって保存できることを見出した。【０００９】  従って、本発明は、炭酸含有シャンプーを調製するための、シャンプー、クエン酸もしくはその塩と金属炭酸塩のセットあるいは炭酸水、調製した炭酸含有シャンプーを保存するための容器であって、ボトル、そして該ボトルに装着するための、弁を備えたシャンプー取出口を有するキャップから構成され、該キャップの弁を閉じた状態で、該キャップが下を向くようにボトルを支持することによって前記炭酸含有シャンプーを保存する容器が、ケースに収容されてなる炭酸含有シャンプー調製用キットにある。【００１０】  本発明はまた、ボトルと、該ボトルの開口部に装着するための、弁を備えたシャンプー取出口を有するキャップとを含む容器に、炭酸含有シャンプーを収容し、該キャップの弁を閉じた状態で、該キャップが下を向くようにボトルを支持する炭酸含有シャンプーの保存方法にもある。
【発明の効果】
【００１１】  本発明の炭酸含有シャンプー調製用キット及び炭酸含有シャンプーの保存方法を利用することによって、炭酸を消失させずに炭酸含有シャンプーを長期間にわたって保存することができる。このため、一度に多量の炭酸含有シャンプーを調製し、その調製した炭酸含有シャンプーを長期間にわたって少量ずつ使用することができる。
【図面の簡単な説明】
【００１２】
【図１】本発明に従う炭酸含有シャンプー調製用キットの一例の平面図である。
【図２】図１に示す炭酸含有シャンプー調製用キットを構成物品の正面図である。
【図３】本発明で用いる炭酸含有シャンプー用の容器に炭酸含有シャンプーを入れて保管した状態を示す部分断面図である。
【発明を実施するための形態】
【００１３】  本発明の炭酸含有シャンプー調製用キットは、シャンプー、クエン酸もしくはその塩と金属炭酸塩のセットあるいは炭酸水、ボトル、そして該ボトルに装着するための、弁を備えたシャンプー取出口を有するキャップが、ケースに収容されてなる。
【００１４】  シャンプーは、界面活性剤を含む水性シャンプーであることが好ましい。界面活性剤はアニオン界面活性剤であることが好ましい。アニオン界面活性剤の例としては、ラウリル硫酸ナトリウム、ラウレス−１硫酸ナトリウム、ラウレス−２硫酸ナトリウム、ラウレス−３硫酸ナトリウムを挙げることができる。シャンプーは、増泡剤、保湿剤、香料及び防腐剤を含んでよい。シャンプーとしては、市販の水性シャンプーを用いることができる。市販のシャンプーは、そのまま使用してもよいし、水及び増粘剤を加えて希釈して使用してもよい。増粘剤の例としては、キサンタンガム及びプルランを挙げることができる。
【００１５】  クエン酸もしくはその塩と金属炭酸塩のセットは、炭酸源として用いられる。クエン酸の塩の例としては、ナトリウム塩、カリウム塩等のアルカリ金属塩、マグネシウム塩、カルシウム塩等のアルカリ土類金属塩を挙げることができる。金属炭酸塩は、アルカリ金属炭酸塩であることが好ましい。アルカリ金属炭酸塩は、アルカリ金属炭酸水素塩を含む。アルカリ金属炭酸塩の例としては、炭酸ナトリウム、炭酸水素ナトリウム、炭酸カリウム、炭酸水素カリウム、炭酸リチウム及び炭酸水素リチウムを挙げることができる。クエン酸もしくはその塩と金属炭酸塩のセットの代わりに炭酸水を用いてもよい。
【００１６】  本発明の炭酸含有シャンプー調製用キットにおいて、調製した炭酸含有シャンプーを保存するための容器は、ボトルと、そのボトルに装着するための、弁を備えたシャンプー取出口を有するキャップとから構成される。炭酸含有シャンプーはボトルに入れられ、そのボトルにキャップを装着し、キャップの弁を閉じた状態で、そのキャップが下を向くようにボトルを支持することによって保存される。キャップの弁の例としては、ボールバルブ、ニードルバルブ、二方コック、及びシャンプー取出口の先端に備えられたボールを押し上げることによってシャンプー取出口が開口するように構成された弁を挙げることができる。
【００１７】  次に、本発明の炭酸含有シャンプー調製用キットを、図１〜３を参照しながら詳しく説明する。図１は、本発明に従う炭酸含有シャンプー調製用キットの一例の平面図であり、図２は、図１に示す炭酸含有シャンプー調製用キットの構成物品の正面図である。
【００１８】  図１、２において、炭酸含有シャンプー調製用キットは、ケース１にシャンプーが収容されているシャンプー容器２、クエン酸が収容されているクエン酸容器３、金属炭酸塩が収容されている金属炭酸塩容器４、ボトル５、ボトルに装着するための、弁を備えたシャンプー取出口を有するキャップ６、そしてボトルを支持するための筒状のボトル支持台１０を含む。
【００１９】  図１、２の調製キットにおいて、炭酸含有シャンプーは、シャンプー、クエン酸、金属炭酸塩を混合、撹拌することによって調製することがきる。シャンプー、クエン酸及び金属炭酸塩は同時に混合してもよいし、シャンプーとクエン酸とを混合した後、金属炭酸塩を加えてさらに混合してもよいし、シャンプーと金属炭酸塩とを混合した後、クエン酸を加えて混合してもよい。
【００２０】  図３は、上述の炭酸含有シャンプー用の容器に炭酸含有シャンプーを入れて保存した状態を示す部分断面図である。
図３において、炭酸含有シャンプー１１が入れられたボトル５は、キャップ６を装着した状態で、そのキャップ６が下を向くようにボトル支持台１０によって支持されている。キャップ６の弁は、シャンプー取出口７の先端に備えられたボール９を押し上げることによってシャンプー取出口が開口するように構成された弁である。すなわち、ボール９はシャンプー取出口７の先端に設けられた突起８の上に配置されていて、ボール９を押し上げることによって、突起８とボール９と間に隙間が形成されて、炭酸含有シャンプー１１がその隙間を通って外部に取り出されるように構成されている。
図３に示す容器では、ボトル５と炭酸含有シャンプー１１との間の空間は、外部につながっていないので、炭酸含有シャンプー１１から抜けた炭酸は外部に流出しにくい。このため、この容器を利用することによって、炭酸を消失させずに炭酸含有シャンプーを長期にわたって保存することが可能となる。
【実施例】
【実施例１】
【００２１】  市販のシャンプー５０ｍＬ、精製水１５０ｍＬ、増粘剤３ｇを撹拌混合して、シャンプー希釈液を調製し、このシャンプー希釈液をボトル（容量：２５０ｍＬ）に入れた。次いで、ボトルに炭酸ナトリウム３ｇとクエン酸３ｇを入れて、シャンプー希釈液に炭酸ナトリウムとクエン酸とを溶解させて、炭酸含有シャンプーを調製した。その後、ボトルに弁を備えたシャンプー取出口を有するキャップを取り付けた。そして、図３に示すように、キャップが下を向くようにボトルを支持台で支持した状態で１週間静置した。その１週間静置後、シャンプー取出口からシャンプーを取り出し、そのシャンプーを用いて洗髪した。その結果、静置後のシャンプーは、静置前と比較して泡立ちが殆ど変わらなかった。すなわち、静置後のシャンプーには多くの炭酸が残留していた。【００２２】［比較例１］
実施例１と同様にして炭酸含有シャンプーを調製し、炭酸含有シャンプーを入れたボトルにキャップ一体式のポンプを取り付けた。そして、１週間静置した。その１週間静置後、ポンプにてシャンプーを取り出し、そのシャンプーを用いて洗髪した。その結果、静置後のシャンプーは、静置前と比較して明らかに泡立ちが悪くなっていた。すなわち、静置後のシャンプーは炭酸が消失していた。
【符号の説明】
【００２３】１  ケース
２  シャンプー容器
３  クエン酸容器
４  金属炭酸塩容器
５  ボトル
６  キャップ
７  シャンプー取出口
８  突起
９  ボール
１０  ボトル支持台
１１  炭酸含有シャンプー
【要約】
【課題】一度に多量の炭酸含有シャンプーを調製でき、その調製した炭酸含有シャンプーを長期間にわたって少量ずつ使用することができる炭酸含有シャンプー調製用キットを提供する。
【解決手段】シャンプー、クエン酸もしくはその塩と金属炭酸塩のセット、ボトル、そして該ボトルに装着するための、弁を備えたシャンプー取出口を有するキャップを組み合わせてケースに収容してなる炭酸含有シャンプー調製用キット。
【選択図】図１【図１】
0005970640.tif 000002
【図２】
0005970640.tif 000003
【図３】
0005970640.tif 000004